(57)【要約】  【課題】    例えば高密度ＤＶＤと従来のＤＶＤ、ＣＤの全てに対して適切に情報の記録及び／再生を行える光ピックアップ装置を提供する。  【解決手段】  熱源となるトラッキングコイルＴＣから発生した熱は、レンズホルダＨＤに伝達されるが、熱伝導率が低い遮熱部材ｐ１，ｐ２により熱伝導が抑制されるので、トラッキングコイルＴＣに近い側の対物レンズＯＢＪ１，ＯＢＪ２における光学面は加熱が抑制されるのに対し、トラッキングコイルＴＣに遠い側の対物レンズＯＢＪ１，ＯＢＪ２における光学面は、熱伝導率が高いレンズホルダＨＤを介して加熱が促進され、全体として光学面の温度分布の均一化を図ることができる。【選択図】      図３
2007087500.tif 000002
【特許請求の範囲】
【請求項１】
波長λ１の第１光源と、波長λ２（λ１＜λ２）の第２光源と、少なくとも第１の対物光学素子及び第２の対物光学素子を含む集光光学系とを有し、前記第１光源からの光束を前記第１の対物光学素子を用いて厚さｔ１の保護層を介して第１光情報記録媒体の情報記録面に集光させることによって情報の記録及び／又は再生が可能であり、前記第２光源からの光束を前記第２の対物光学素子を用いて厚さｔ２の保護層を介して第２光情報記録媒体の情報記録面に集光させることによって情報の記録及び／又は再生が可能である光ピックアップ装置であって、
前記第１の対物光学素子及び前記第２の対物光学素子は、アクチュエータによって駆動される支持部材に固設され、
前記支持部材を介して前記第１の対物光学素子及び前記第２の対物光学素子のうち少なくとも一方に伝達される熱を、前記支持部材における熱伝導率が異なる部位を伝導させることによって制御することを特徴とする光ピックアップ装置。
【請求項２】
前記支持部材は、前記対物光学素子と前記アクチュエータとの間に設けられた第１の部位と、前記第１の部位よりも熱伝導率が高い第２の部位とを含むことを特徴とする請求項１に記載の光ピックアップ装置。
【請求項３】
波長λ１の第１光源と、波長λ２（λ１＜λ２）の第２光源と、少なくとも第１の対物光学素子及び第２の対物光学素子を含む集光光学系とを有し、前記第１光源からの光束を前記第１の対物光学素子を用いて厚さｔ１の保護層を介して第１光情報記録媒体の情報記録面に集光させることによって情報の記録及び／又は再生が可能であり、前記第２光源からの光束を前記第２の対物光学素子を用いて厚さｔ２の保護層を介して第２光情報記録媒体の情報記録面に集光させることによって情報の記録及び／又は再生が可能である光ピックアップ装置であって、
前記第１の対物光学素子及び前記第２の対物光学素子は、アクチュエータによって駆動される支持部材に固設され、
前記支持部材は、前記第１の対物光学素子及び前記第２の対物光学素子のうち少なくとも一方と、前記アクチュエータとの間に空隙を有することを特徴とする光ピックアップ装置。
【請求項４】
前記アクチュエータは、トラッキングコイル及びフォーカシングコイルのうち少なくとも一方を備え、前記少なくとも一方のコイルは、前記第１の対物光学素子及び前記第２の対物光学素子のうち少なくとも一方に対して非対称に配置されていることを特徴とする請求項１〜３のいずれかに記載の光ピックアップ装置。
【請求項５】
前記対物光学素子を、それに最も近いアクチュエータから光軸に下ろした垂線に対して直角な方向に延在し且つ光軸を含む仮想平面で切断することにより、前記最も近いアクチュエータに近い側と遠い側とに分けたとき、前記最も近いアクチュエータに近い側における前記支持部材に前記対物光学素子が接する表面の面積は、前記最も近いアクチュエータから遠い側における前記支持部材に前記対物光学素子が接する表面の面積よりも小さいことを特徴とする請求項１〜４のいずれかに記載の光ピックアップ装置。
【請求項６】
前記支持部材は、前記第１の対物光学素子を装着する第１の開口と、前記第２の対物光学素子を装着する第２の開口とを備えており、前記第１の開口及び前記第２の開口のうち少なくとも一方を、それに装着される前記対物光学素子に最も近いアクチュエータから光軸に下ろした垂線に対して直角な方向に延在し且つ光軸を含む仮想平面で切断することにより、前記最も近いアクチュエータに近い側と遠い側とに分けたとき、前記最も近いアクチュエータに近い側において装着された前記対物光学素子との間に形成される空隙は、前記最も近いアクチュエータから遠い側において装着された前記対物光学素子との間に形成される空隙よりも大きいことを特徴とする請求項１〜５のいずれかに記載の光ピックアップ装置。
【請求項７】
前記第１の開口及び前記第２の開口のうち少なくとも一方は、その内周から、装着された前記対物光学素子に向かって延在する保持部を有しており、前記保持部には、前記アクチュエータに近い側において切欠が形成されていることを特徴とする請求項６に記載の光ピックアップ装置。
【請求項８】
前記第１の開口及び前記第２の開口のうち少なくとも一方は、その内周から、装着された前記対物光学素子に向かって延在する保持部を有しており、前記保持部の装着された前記対物光学素子に接触する表面には、少なくとも前記アクチュエータに近い側において凹凸が形成されていることを特徴とする請求項６に記載の光ピックアップ装置。
【請求項９】
前記支持部材の表面には、フィン及び／又は空隙が形成されていることを特徴とする請求項１〜８のいずれかに記載の光ピックアップ装置。
【請求項１０】
前記支持部材は、前記第１の対物光学素子と前記第２の対物光学素子との間に設けられた第３の部位と、前記第３の部位よりも熱伝導率が低い第２の部位とを含むことを特徴とする請求項１〜９のいずれかに記載の光ピックアップ装置。
【請求項１１】
前記第１の対物光学素子及び前記第２の対物光学素子のうち少なくとも一方は、粒径が３０ｎｍ以下の無機微粒子を分散させたプラスチック樹脂から形成されていることを特徴とする請求項１〜１０のいずれかに記載の光ピックアップ装置。
【請求項１２】
前記第１の対物光学素子及び前記第２の対物光学素子のうち少なくとも一方は、ガラスから形成されていることを特徴とする請求項１〜１０のいずれかに記載の光ピックアップ装置。
【請求項１３】
前記第１の対物光学素子を通過した前記第１光源からの光束又は前記第２の対物光学素子を通過した前記第２光源からの光束を、厚さｔ３（ｔ３＞ｔ１又はｔ３＞ｔ２）の保護層を介して第３光情報記録媒体の情報記録面に集光させることによって、情報の記録及び／又は再生を行うことを特徴とする請求項１〜１２のいずれかに記載の光ピックアップ装置。
【発明の詳細な説明】
【技術分野】
【０００１】
本発明は、光ピックアップ装置に関し、特に、光源波長の異なる光源から出射される光束を、２以上の対物光学素子のいずれかを介して集光させることにより、異なる光情報記録媒体に対して情報の記録及び／又は再生が可能な光ピックアップ装置に関する。
【背景技術】
【０００２】
近年、波長４００ｎｍ程度の青紫色半導体レーザを用いて、情報の記録／再生を行える高密度光ディスクシステムの研究・開発が急速に進んでいる。一例として、開口数ＮＡ０．６５、光源波長４０５ｎｍの仕様で情報の記録／再生を行う光ディスク（例えばＨＤ  ＤＶＤ）では、ＤＶＤ（ＮＡ０．６、光源波長６５０ｎｍ、記憶容量４、７ＧＢ）と同じ大きさである直径１２ｃｍの光ディスクに対して、１面あたり１５〜２０ＧＢの情報の記録が可能である。又、開口数ＮＡ０．８５、光源波長４０５ｎｍの仕様で情報の記録／再生を行う光ディスク（例えばブルーレイディスク）では、直径１２ｃｍの光ディスクに対して、１面あたり２０〜３０ＧＢの情報の記録が可能である。尚、本明細書においては、波長４００ｎｍ程度の青紫色半導体レーザを用いて、情報の記録及び／又は再生を行う光ディスクを総称して「高密度ＤＶＤ 」と呼ぶ。
【０００３】
ところで、このような高密度ＤＶＤに対して適切に情報を記録／再生できるというだけでは、光ピックアップ装置の製品としての価値は十分なものとはいえない。現在において、多種多様な情報を記録したＤＶＤやＣＤが販売されている現実をふまえると、高密度ＤＶＤに対して適切に情報を記録／再生できるだけでは足らず、例えばユーザーが所有している従来のＤＶＤ或いはＣＤに対しても同様に適切に情報を記録／再生できるようにすることが、互換タイプの光ピックアップ装置として製品の価値を高めることに通じるのである。このような背景から、互換タイプの光ピックアップ装置に用いる集光光学系は、高密度ＤＶＤ、従来タイプのＤＶＤ、ＣＤいずれに対しても、互換性を維持しながら適切に情報を記録／再生できる性能を有することが望まれている。
【０００４】
ここで、光ピックアップ装置の構成を簡素化し、低コスト化を図るためには、本来的には、互換性を有する光ピックアップ装置においても対物レンズを含む集光光学系は単一とすることが好ましい。しかしながら、光源波長の短波長化、高ＮＡの採用などにより、高密度ＤＶＤに対する情報の記録及び／又は再生において対物レンズの収差特性は、きわめて高いものが要求されるため、同じ対物レンズを用いて、ＤＶＤ、ＣＤに対して情報の記録及び／又は再生を適切に行うことが困難な場合がある。これに対し、複数の対物レンズを切り替えて用いることにより、３種類以上の光情報記録媒体に対し情報の記録及び／又は再生を行える光ピックアップ装置の例は、例えば以下の特許文献１に記載されている。
【特許文献１】特開２００４−３１９０６２号公報
【発明の開示】
【発明が解決しようとする課題】
【０００５】
ところで、光ピックアップ装置において、適切に情報の記録及び／又は再生を行うためには、対物光学素子を通過した光束を光情報記録媒体（光ディスク）の情報記録面のトラック上に適切に集光させる必要があり、そのため、対物光学素子の位置調整を行うフォーカシング動作とトラッキング動作とが必要となっている。ここで、例えばＤＶＤ／ＣＤ互換タイプの一般的な光ピックアップ装置においては、共通に用いる対物光学素子についてフォーカシング動作とトラッキング動作とを行えば足り、そのアクチュエータは小型のタイプを用いることができた。
【０００６】
しかるに、特許文献１に示すごとく２つの対物光学素子を用いる場合には、それぞれについてフォーカシング動作とトラッキング動作とを行う必要が生じるが、別個にアクチュエータを設けて、それぞれ独立して駆動するようにすると、アクチュエータの数が増大して構成の複雑化や装置の大型化を招く。更に、一方の対物光学素子を使用しているときは、他方の対物光学素子は使用されないので、対物光学素子を独立して駆動する必要はないという実情もある。
【０００７】
そこで、２つの対物光学素子を共通する支持部材で保持し、共通のアクチュエータで駆動する構成が企画された。ところが、２つの対物光学素子を、共通する支持部材ごと駆動する構成では、慣性質量の増大に対して、レスポンス良くフォーカシング動作とトラッキング動作を実施するために、アクチュエータにはより大きな駆動力が要求されることとなる。大きな駆動力を得るには通電量が多くなるので、発熱量も大きくなり、発生した熱が支持部材を伝わって対物光学素子を加熱するという問題が明らかになった。
【０００８】
特に、２つの対物光学素子を、共通する支持部材で支持する場合、熱源をいずれの対物光学素子に対して等距離に配置することは困難であるから、少なくともいずれかの対物光学素子は、温度分布が生じる形で加熱されることとなる。ところが、対物光学素子の光学面における温度分布が光軸に対して非対称であると、コマ収差が発生する。一方、対物光学素子の光学面における温度分布が点対称であっても、光軸に向かうにつれて温度勾配を有すると球面収差が生じる。このように、対物光学素子において光軸垂直方向及び／又は光軸方向における温度分布が生じ温度差が過大になると、光学面の熱膨張を招き、適切な情報の記録及び／又は再生を阻害する収差劣化を生じさせる恐れがある。特に近年は、光情報記録媒体に対して情報の記録及び／又は再生を行う速度を増大させる要求があり、これに応じるためにも、対物光学素子を通過した光束の収差劣化を適正に抑える必要がある。
【０００９】
本発明は、かかる問題点に鑑みて成されたものであり、２つ以上の対物光学素子を用いて、異なる光情報記録媒体に対して適切に情報の記録及び／再生を行える光ピックアップ装置を提供することを目的とする。
【課題を解決するための手段】
【００１０】
請求項１に記載の光ピックアップ装置は、波長λ１の第１光源と、波長λ２（λ１＜λ２）の第２光源と、少なくとも第１の対物光学素子及び第２の対物光学素子を含む集光光学系とを有し、前記第１光源からの光束を前記第１の対物光学素子を用いて厚さｔ１の保護層を介して第１光情報記録媒体の情報記録面に集光させることによって情報の記録及び／又は再生が可能であり、前記第２光源からの光束を前記第２の対物光学素子を用いて厚さｔ２の保護層を介して第２光情報記録媒体の情報記録面に集光させることによって情報の記録及び／又は再生が可能である光ピックアップ装置であって、
前記第１の対物光学素子及び前記第２の対物光学素子は、アクチュエータによって駆動される支持部材に固設され、
前記支持部材を介して前記第１の対物光学素子及び前記第２の対物光学素子のうち少なくとも一方に伝達される熱を、前記支持部材における熱伝導率が異なる部位を伝導させることによって制御することを特徴とする。
【００１１】
前記第１の対物光学素子と前記第２の対物光学素子が、例えばアクチュエータなどの熱源により加熱される場合に、前記支持部材において熱伝導を制御することで、前記対物光学素子の光学面における温度分布の偏りを抑制したり、最高温度を低下させることができる。より具体的には、前記支持部材に、熱伝導率が高い部位と、熱伝導率が低い部位とを設けることで、熱源からの熱が前記支持部材に伝達されたときに、熱伝導率が高い部位を介して伝導することで放熱効果を高め、熱伝導率が低い部位を介して伝導することで遮熱効果を高め、それらの相乗効果によって、前記第１の対物光学素子と前記第２の対物光学素子のうち少なくとも一方の光学面の温度分布を一様に近づけ、且つ最高温度を抑制することができ、それにより対物光学素子を通過する光束における収差劣化を抑えて、光情報記録媒体に対して適切に情報の記録及び／又は再生を行うことができる。
【００１２】
請求項２に記載の光ピックアップ装置は、請求項１に記載の発明において、前記支持部材は、前記対物光学素子と前記アクチュエータとの間に設けられた第１の部位と、前記第１の部位よりも熱伝導率が高い第２の部位とを含むことを特徴とすることを特徴とする。
【００１３】
請求項３に記載の光ピックアップ装置は、波長λ１の第１光源と、波長λ２（λ１＜λ２）の第２光源と、少なくとも第１の対物光学素子及び第２の対物光学素子を含む集光光学系とを有し、前記第１光源からの光束を前記第１の対物光学素子を用いて厚さｔ１の保護層を介して第１光情報記録媒体の情報記録面に集光させることによって情報の記録及び／又は再生が可能であり、前記第２光源からの光束を前記第２の対物光学素子を用いて厚さｔ２の保護層を介して第２光情報記録媒体の情報記録面に集光させることによって情報の記録及び／又は再生が可能である光ピックアップ装置であって、
前記第１の対物光学素子及び前記第２の対物光学素子は、アクチュエータによって駆動される支持部材に固設され、
前記支持部材は、前記第１の対物光学素子及び前記第２の対物光学素子のうち少なくとも一方と、前記アクチュエータとの間に空隙を有することを特徴とする。
【００１４】
前記第１の対物光学素子と前記第２の対物光学素子が、例えばアクチュエータなどの熱源により加熱される場合に、前記支持部材において熱伝導を制御することで、前記対物光学素子の光学面における温度分布の偏りを抑制したり、最高温度を低下させることができる。より具体的には、前記支持部材において、前記第１の対物光学素子及び前記第２の対物光学素子のうち少なくとも一方と、前記アクチュエータとの間に空隙を設けることで、熱源からの熱が前記支持部材に伝達されたときに遮熱効果を高め、前記第１の対物光学素子と前記第２の対物光学素子のうち少なくとも一方の光学面の温度分布を一様に近づけ、且つ最高温度を抑制することができ、それにより対物光学素子を通過する光束における収差劣化を抑えて、光情報記録媒体に対して適切に情報の記録及び／又は再生を行うことができる。空隙としては、支持部材を貫通していないくぼみや、貫通した開口を含む。別部材や空隙の形状としては、円形、長円形、三角形、四角形、多角形等、種々の形状を取りうる。
【００１５】
請求項４に記載の光ピックアップ装置は、請求項１〜３のいずれかに記載の発明において、前記アクチュエータは、トラッキングコイル及びフォーカシングコイルのうち少なくとも一方を備え、前記少なくとも一方のコイルは、前記第１の対物光学素子及び前記第２の対物光学素子のうち少なくとも一方に対して非対称に配置されていることを特徴とするので、前記少なくとも一方のコイルが熱源となった場合にも、前記第１の対物光学素子及び前記第２の対物光学素子のうち少なくとも一方の光学面における温度分布の均一化と最高温度の抑制とを行うことができる。
【００１６】
前記対物光学素子は、前記支持部材に支持されているので、一方の対物光学素子に着目したとき、例えば熱源となりうる前記アクチュエータなどを対称に配置することは困難であり、その場合には、前記アクチュエータに近い光学面が加熱されやすいということがある。そこで、本発明においては、前記対物光学素子と前記アクチュエータとの間に、例えばレンズホルダの素材よりも熱伝導率が低い部位を設けることにより、前記対物光学素子に伝達される熱を抑え、光学面の温度分布を均一化させると共に、最高温度の抑制を図ることができる。なお、前記第１の部位は、前記第２の部位よりも熱伝導性の高い部位であっても良く、それにより熱放射を促進させることができる。
【００１７】
請求項５に記載の光ピックアップ装置は、請求項１〜４のいずれかに記載の発明において、前記対物光学素子を、それに最も近いアクチュエータから光軸に下ろした垂線に対して直角な方向に延在し且つ光軸を含む仮想平面で切断することにより、前記最も近いアクチュエータに近い側と遠い側とに分けたとき、前記最も近いアクチュエータに近い側における前記支持部材に前記対物光学素子が接する表面の面積は、前記最も近いアクチュエータから遠い側における前記支持部材に前記対物光学素子が接する表面の面積よりも小さいことを特徴とするので、熱源となり得る前記最も近いアクチュエータに近い側における前記支持部材に前記対物光学素子が接する表面積を減少させることによって熱伝導を抑え、前記対物光学素子の光学面の温度分布を均一化させると共に、最高温度の抑制を図ることができる。
【００１８】
請求項６に記載の光ピックアップ装置は、請求項１〜５のいずれかに記載の発明において、前記支持部材は、前記第１の対物光学素子を装着する第１の開口と、前記第２の対物光学素子を装着する第２の開口とを備えており、前記第１の開口及び前記第２の開口のうち少なくとも一方を、それに装着される前記対物光学素子に最も近いアクチュエータから光軸に下ろした垂線に対して直角な方向に延在し且つ光軸を含む仮想平面で切断することにより、前記最も近いアクチュエータに近い側と遠い側とに分けたとき、前記最も近いアクチュエータに近い側において装着された前記対物光学素子との間に形成される空隙は、前記最も近いアクチュエータから遠い側において装着された前記対物光学素子との間に形成される空隙よりも大きいことを特徴とするので、熱源となり得る前記最も近いアクチュエータに近い側において前記支持部材と前記対物光学素子との間の空隙を利用して遮熱効果を高め、前記対物光学素子の光学面の温度分布を均一化させると共に、最高温度の抑制を図ることができる。
【００１９】
請求項７に記載の光ピックアップ装置は、請求項６に記載の発明において、前記第１の開口及び前記第２の開口のうち少なくとも一方は、その内周から、装着された前記対物光学素子に向かって延在する保持部を有しており、前記保持部には、前記アクチュエータに近い側において切欠が形成されていることを特徴とするので、前記保持部を介する熱伝導を抑えることができる。
【００２０】
請求項８に記載の光ピックアップ装置は、請求項６に記載の発明において、前記第１の開口及び前記第２の開口のうち少なくとも一方は、その内周から、装着された前記対物光学素子に向かって延在する保持部を有しており、前記保持部の装着された前記対物光学素子に接触する表面には、少なくとも前記アクチュエータに近い側において凹凸が形成されていることを特徴とするので、前記保持部を介する熱伝導を抑えることができる。
【００２１】
請求項９に記載の光ピックアップ装置は、請求項１〜８のいずれかに記載の発明において、前記支持部材の表面には、フィン及び／又は空隙が形成されていることを特徴とするので、前記支持部材の放熱効果を高めることができる。
【００２２】
請求項１０に記載の光ピックアップ装置は、請求項１〜９のいずれかに記載の発明において、前記支持部材は、前記第１の対物光学素子と前記第２の対物光学素子との間に設けられた第３の部位と、前記第３の部位よりも熱伝導率が低い第２の部位とを含むことを特徴とするので、前記熱伝導率が高い部位を介して前記対物光学素子の光学面における温度の低い領域を迅速に加熱することで、全体として温度分布を一様化することができる。なお、前記第３の部位は、前記第２の部位よりも熱伝導性の低い部位であっても良く、それにより前記第３の部位へ伝達される熱が少なくなり、前記第３の部位の周辺の温度を上げる効果がある。
【００２３】
請求項１１に記載の光ピックアップ装置は、請求項１〜１０のいずれかの発明において、前記第１の対物光学素子及び前記第２の対物光学素子のうち少なくとも一方は、粒径が３０ｎｍ以下の無機微粒子を分散させたプラスチック樹脂から形成されていることを特徴とする。
【００２４】
プラスチック樹脂として例えば熱可塑性樹脂中に分散される無機微粒子としては特に限定はなく、得られる熱可塑性樹脂組成物の温度による屈折率の変化率（以後、｜ｄｎ／ｄＴ｜とする）が小さいという本発明の目的の達成を可能とする無機微粒子の中から任意に選択することができる。具体的には酸化物微粒子、金属塩微粒子、半導体微粒子などが好ましく用いられ、この中から、光学素子として使用する波長領域において吸収、発光、蛍光等が生じないものを適宜選択して使用することが好ましい。
【００２５】
本発明において用いられる酸化物微粒子としては、金属酸化物を構成する金属が、Ｌｉ、Ｎａ、Ｍｇ、Ａｌ、Ｓｉ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｒｂ、Ｓｒ、Ｙ、Ｎｂ、Ｚｒ、Ｍｏ、Ａｇ、Ｃｄ、Ｉｎ、Ｓｎ、Ｓｂ、Ｃｓ、Ｂａ、Ｌａ、Ｔａ、Ｈｆ、Ｗ、Ｉｒ、Ｔｌ、Ｐｂ、Ｂｉ及び希土類金属からなる群より選ばれる１種または２種以上の金属である金属酸化物を用いることができ、具体的には、例えば、酸化珪素、酸化チタン、酸化亜鉛、酸化アルミニウム、酸化ジルコニウム、酸化ハフニウム、酸化ニオブ、酸化タンタル、酸化マグネシウム、酸化カルシウム、酸化ストロンチウム、酸化バリウム、酸化インジウム、酸化錫、酸化鉛、これら酸化物より構成される複酸化物であるニオブ酸リチウム、ニオブ酸カリウム、タンタル酸リチウム、アルミニウム・マグネシウム酸化物（ＭｇＡｌ2Ｏ4）等が挙げられる。また、本発明において用いられる酸化物微粒子として希土類酸化物を用いることもでき、具体的には酸化スカンジウム、酸化イットリウム、酸化ランタン、酸化セリウム、酸化プラセオジム、酸化ネオジム、酸化サマリウム、酸化ユウロピウム、酸化ガドリニウム、酸化テルビウム、酸化ジスプロシウム、酸化ホルミウム、酸化エルビウム、酸化ツリウム、酸化イッテルビウム、酸化ルテチウム等も挙げられる。金属塩微粒子としては、炭酸塩、リン酸塩、硫酸塩などが挙げられ、具体的には炭酸カルシウム、リン酸アルミニウム等が挙げられる。
【００２６】
また、本発明における半導体微粒子とは、半導体結晶組成の微粒子を意味し、該半導体結晶組成の具体的な組成例としては、炭素、ケイ素、ゲルマニウム、錫等の周期表第１４族元素の単体、リン（黒リン）等の周期表第１５族元素の単体、セレン、テルル等の周期表第１６族元素の単体、炭化ケイ素（ＳｉＣ）等の複数の周期表第１４族元素からなる化合物、酸化錫（IV）（ＳｎＯ2）、硫化錫（II，IV）（Ｓｎ（II）Ｓｎ（IV）Ｓ3）、硫化錫（IV）（ＳｎＳ2）、硫化錫（II）（ＳｎＳ）、セレン化錫（II）（ＳｎＳｅ）、テルル化錫（II）（ＳｎＴｅ）、硫化鉛（II）（ＰｂＳ）、セレン化鉛（II）（ＰｂＳｅ）、テルル化鉛（II）（ＰｂＴｅ）等の周期表第１４族元素と周期表第１６族元素との化合物、窒化ホウ素（ＢＮ）、リン化ホウ素（ＢＰ）、砒化ホウ素（ＢＡｓ）、窒化アルミニウム（ＡｌＮ）、リン化アルミニウム（ＡｌＰ）、砒化アルミニウム（ＡｌＡｓ）、アンチモン化アルミニウム（ＡｌＳｂ）、窒化ガリウム（ＧａＮ）、リン化ガリウム（ＧａＰ）、砒化ガリウム（ＧａＡｓ）、アンチモン化ガリウム（ＧａＳｂ）、窒化インジウム（ＩｎＮ）、リン化インジウム（ＩｎＰ）、砒化インジウム（ＩｎＡｓ）、アンチモン化インジウム（ＩｎＳｂ）等の周期表第１３族元素と周期表第１５族元素との化合物（あるいはIII−Ｖ族化合物半導体）、硫化アルミニウム（Ａｌ2Ｓ3）、セレン化アルミニウム（Ａｌ2Ｓｅ3）、硫化ガリウム（Ｇａ2Ｓ3）、セレン化ガリウム（Ｇａ2Ｓｅ3）、テルル化ガリウム（Ｇａ2Ｔｅ3）、酸化インジウム（Ｉｎ2Ｏ3）、硫化インジウム（Ｉｎ2Ｓ3）、セレン化インジウム（Ｉｎ2Ｓｅ3）、テルル化インジウム（Ｉｎ2Ｔｅ3）等の周期表第１３族元素と周期表第１６族元素との化合物、塩化タリウム（Ｉ）（ＴｌＣｌ）、臭化タリウム（Ｉ）（ＴｌＢｒ）、ヨウ化タリウム（Ｉ）（ＴｌＩ）等の周期表第１３族元素と周期表第１７族元素との化合物、酸化亜鉛（ＺｎＯ）、硫化亜鉛（ＺｎＳ）、セレン化亜鉛（ＺｎＳｅ）、テルル化亜鉛（ＺｎＴｅ）、酸化カドミウム（ＣｄＯ）、硫化カドミウム（ＣｄＳ）、セレン化カドミウム（ＣｄＳｅ）、テルル化カドミウム（ＣｄＴｅ）、硫化水銀（ＨｇＳ）、セレン化水銀（ＨｇＳｅ）、テルル化水銀（ＨｇＴｅ）等の周期表第１２族元素と周期表第１６族元素との化合物（あるいはII−VI族化合物半導体）、硫化砒素（III）（Ａｓ2Ｓ3）、セレン化砒素（III）（Ａｓ2Ｓｅ3）、テルル化砒素（III）（Ａｓ2Ｔｅ3）、硫化アンチモン（III）（Ｓｂ2Ｓ3）、セレン化アンチモン（III）（Ｓｂ2Ｓｅ3）、テルル化アンチモン（III）（Ｓｂ2Ｔｅ3）、硫化ビスマス（III）（Ｂｉ2Ｓ3）、セレン化ビスマス（III）（Ｂｉ2Ｓｅ3）、テルル化ビスマス（III）（Ｂｉ2Ｔｅ3）等の周期表第１５族元素と周期表第１６族元素との化合物、酸化銅（Ｉ）（Ｃｕ2Ｏ）、セレン化銅（Ｉ）（Ｃｕ2Ｓｅ）等の周期表第１１族元素と周期表第１６族元素との化合物、塩化銅（Ｉ）（ＣｕＣｌ）、臭化銅（Ｉ）（ＣｕＢｒ）、ヨウ化銅（Ｉ）（ＣｕＩ）、塩化銀（ＡｇＣｌ）、臭化銀（ＡｇＢｒ）等の周期表第１１族元素と周期表第１７族元素との化合物、酸化ニッケル（II）（ＮｉＯ）等の周期表第１０族元素と周期表第１６族元素との化合物、酸化コバルト（II）（ＣｏＯ）、硫化コバ��ト（II）（ＣｏＳ）等の周期表第９族元素と周期表第１６族元素との化合物、四酸化三鉄（Ｆｅ3Ｏ4）、硫化鉄（II）（ＦｅＳ）等の周期表第８族元素と周期表第１６族元素との化合物、酸化マンガン（II）（ＭｎＯ）等の周期表第７族元素と周期表第１６族元素との化合物、硫化モリブデン（IV）（ＭｏＳ2）、酸化タングステン（IV）（ＷＯ2）等の周期表第６族元素と周期表第１６族元素との化合物、酸化バナジウム（II）（ＶＯ）、酸化バナジウム（IV）（ＶＯ2）、酸化タンタル（Ｖ）（Ｔａ2Ｏ5）等の周期表第５族元素と周期表第１６族元素との化合物、酸化チタン（ＴｉＯ2、Ｔｉ2Ｏ5、Ｔｉ2Ｏ3、Ｔｉ5Ｏ9等）等の周期表第４族元素と周期表第１６族元素との化合物、硫化マグネシウム（ＭｇＳ）、セレン化マグネシウム（ＭｇＳｅ）等の周期表第２族元素と周期表第１６族元素との化合物、酸化カドミウム（II）クロム（III）（ＣｄＣｒ2Ｏ4）、セレン化カドミウム（II）クロム（III）（ＣｄＣｒ2Ｓｅ4）、硫化銅（II）クロム（III）（ＣｕＣｒ2Ｓ4）、セレン化水銀（II）クロム（III）（ＨｇＣｒ2Ｓｅ4）等のカルコゲンスピネル類、バリウムチタネート（ＢａＴｉＯ3）等が挙げられる。なお、Ｇ．Ｓｃｈｍｉｄら；Ａｄｖ．Ｍａｔｅｒ．，４巻，４９４頁（１９９１）に報告されている（ＢＮ）７５（ＢＦ２）１５Ｆ１５や、Ｄ．Ｆｅｎｓｋｅら；Ａｎｇｅｗ．Ｃｈｅｍ．Ｉｎｔ．Ｅｄ．Ｅｎｇｌ．，２９巻，１４５２頁（１９９０）に報告されているＣｕ146Ｓｅ73（トリエチルホスフィン）22のように構造の確定されている半導体クラスターも同様に例示される。
【００２７】
一般的に熱可塑性樹脂のｄｎ／ｄＴは負の値を持つ、即ち温度の上昇に伴い屈折率が小さくなる。従って、熱可塑性樹脂組成物の｜ｄｎ／ｄＴ｜を効率的に小さくする為には、ｄｎ／ｄＴが大きい微粒子を分散させることが好ましい。熱可塑性樹脂のｄｎ／ｄＴと同符号の値を持つ微粒子を用いる場合には、微粒子のｄｎ／ｄＴの絶対値が、母材となる熱可塑性樹脂のｄｎ／ｄＴよりも小さいことが好ましい。更に、母材となる熱可塑性樹脂のｄｎ／ｄＴと逆符号のｄｎ／ｄＴを有する微粒子、即ち、正の値のｄｎ／ｄＴを有する微粒子が好ましく用いられる。このような微粒子を熱可塑性樹脂に分散させることで、少ない量で効果的に熱可塑性樹脂組成物の｜ｄｎ／ｄＴ｜を小さくすることができる。分散される微粒子のｄｎ／ｄＴは、母材となる熱可塑性樹脂のｄｎ／ｄＴの値により適宜選択することができるが、一般的に光学素子に好ましく用いられる熱可塑性樹脂に微粒子を分散させる場合は、微粒子のｄｎ／ｄＴが−２０×１０-6よりも大きいことが好ましく、−１０×１０-6よりも大きいことが更に好ましい。ｄｎ／ｄＴが大きい微粒子として、好ましくは、例えば、窒化ガリウム、硫化亜鉛、酸化亜鉛、ニオブ酸リチウム、タンタル酸リチウムなどが用いられる。
【００２８】
一方、熱可塑性樹脂に微粒子を分散させる際には、母材となる熱可塑性樹脂と微粒子の屈折率の差が小さいことが望ましい。発明者らの検討の結果、熱可塑性樹脂と分散される微粒子の屈折率の差が小さいと、光を透過させた場合に散乱を起こし難いということがわかった。熱可塑性樹脂に微粒子を分散させる際、粒子が大きい程、光を透過させた時の散乱を起こしやすくなるが、熱可塑性樹脂と分散される微粒子の屈折率の差が小さいと、比較的大きな微粒子を用いても光の散乱が発生する度合いが小さいことを発見した。熱可塑性樹脂と分散される微粒子の屈折率の差は、０〜０．３の範囲であることが好ましく、更に０〜０．１５の範囲であることが好ましい。
【００２９】
光学材料として好ましく用いられる熱可塑性樹脂の屈折率は、１．４〜１．６程度である場合が多く、これらの熱可塑性樹脂に分散させる材料としては、例えばシリカ（酸化ケイ素）、炭酸カルシウム、リン酸アルミニウム、酸化アルミニウム、酸化マグネシウム、アルミニウム・マグネシウム酸化物などが好ましく用いられる。
【００３０】
また、発明者らの研究により、比較的屈折率の低い微粒子を分散させることで、熱可塑性樹脂組成物のｄｎ／ｄＴを効果的に小さくすることができることがわかった。屈折率が低い微粒子を分散した熱可塑性樹脂組成物の｜ｄｎ／ｄＴ｜が小さくなる理由について、詳細はわかっていないものの、樹脂組成物における無機微粒子の体積分率の温度変化が、微粒子の屈折率が低いほど、樹脂組成物の｜ｄｎ／ｄＴ｜を小さくする方向に働くのではないかと考えられる。比較的屈折率が低い微粒子としては、例えばシリカ（酸化ケイ素）、炭酸カルシウム、リン酸アルミニウムが好ましく用いられる。
【００３１】
熱可塑性樹脂組成物のｄｎ／ｄＴの低減効果、光透過性、所望の屈折率等を全て同時に向上させることは困難であり、熱可塑性樹脂に分散させる微粒子は、熱可塑性樹脂組成物に求める特性に応じて、微粒子自体のｄｎ／ｄＴの大きさ、微粒子のｄｎ／ｄＴと母材となる熱可塑性樹脂のｄｎ／ｄＴとの差、及び微粒子の屈折率等を考慮して適宜選択することができる。更に、母材となる熱可塑性樹脂との相性、即ち、熱可塑性樹脂に対する分散性、散乱を引き起こし難い微粒子を適宜選択して用いることは、光透過性を維持する上で好ましい。
【００３２】
例えば、光学素子に好ましく用いられる環状オレフィンポリマーを母材として用いる場合、光透過性を維持しながら｜ｄｎ／ｄＴ｜を小さくする微粒子としては、シリカが好ましく用いられる。
【００３３】
上記の微粒子は、１種類の無機微粒子を用いてもよく、また複数種類の無機微粒子を併用してもよい。異なる性質を有する複数種類の微粒子を用いることで、必要とされる特性を更に効率よく向上させることもできる。
【００３４】
また、本発明に係る無機微粒子は、平均粒子径が１ｎｍ以上、３０ｎｍ以下が好ましく、１ｎｍ以上、２０ｎｍ以下がより好ましく、さらに好ましくは１ｎｍ以上、１０ｎｍ以下である。平均粒子径が１ｎｍ未満の場合、無機微粒子の分散が困難になり所望の性能が得られない恐れがあることから、平均粒子径は１ｎｍ以上であることが好ましく、また平均粒子径が３０ｎｍを超えると、得られる熱可塑性材料組成物が濁るなどして透明性が低下し、光線透過率が７０％未満となる恐れがあることから、平均粒子径は３０ｎｍ以下であることが好ましい。ここでいう平均粒子径は各粒子を同体積の球に換算した時の直径（球換算粒径）の体積平均値を言う。
【００３５】
さらに、無機微粒子の形状は、特に限定されるものではないが、球状の微粒子が好適に用いられる。具体的には、粒子の最小径（微粒子の外周に接する２本の接線を引く場合における当該接線間の距離の最小値）／最大径（微粒子の外周に接する２本の接線を引く場合における当該接線間の距離の最大値）が０．５〜１．０であることが好ましく、０．７〜１．０であることが更に好ましい。
【００３６】
また、粒子径の分布に関しても特に制限されるものではないが、本発明の効果をより効率よく発現させるためには、広範な分布を有するものよりも、比較的狭い分布を持つものが好適に用いられる。
【００３７】
請求項１２に記載の光ピックアップ装置は、請求項１〜１０のいずれかに記載の発明において、前記第１の対物光学素子及び前記第２の対物光学素子のうち少なくとも一方は、ガラスから形成されていることを特徴とするので、温度分布が生じても収差変化を抑えるような対物光学素子とすることができる。
【００３８】
請求項１３に記載の光ピックアップ装置は、請求項１〜１２のいずれかに記載の発明において、前記第１の対物光学素子を通過した前記第１光源からの光束又は前記第２の対物光学素子を通過した前記第２光源からの光束を、厚さｔ３（ｔ３＞ｔ１又はｔ３＞ｔ２）の保護層を介して第３光情報記録媒体の情報記録面に集光させることによって、情報の記録及び／又は再生を行うことを特徴とするので、例えば高密度ＤＶＤ、ＤＶＤ、ＣＤのいずれに対しても、情報の記録及び／又は再生を行うことができる。
【００３９】
本明細書中において、対物光学素子（対物レンズともいう）とは、狭義には光ピックアップ装置に光情報記録媒体を装填した状態において、最も光情報記録媒体側の位置で、これと対向すべく配置される集光作用を有する光学素子を指し、広義にはその光学素子と共に、アクチュエータによって少なくともその光軸方向に作動可能な光学素子を指すものとする。
【発明の効果】
【００４０】
本発明によれば、２つ以上の対物光学素子を用いて、異なる光情報記録媒体に対して適切に情報の記録及び／再生を行える光ピックアップ装置を提供することができる。
【発明を実施するための最良の形態】
【００４１】
以下、図面を参照して、本発明をさらに詳細に説明する。図１は、高密度ＤＶＤ（第１の光ディスクともいう）、従来のＤＶＤ（第２の光ディスクともいう）及びＣＤ（第３の光ディスクともいう）の全てに対して情報の記録／再生を行える、第１の実施の形態にかかる光ピックアップ装置の概略断面図である。
【００４２】
図１に示すように、支持部材であるレンズホルダＨＤは、アクチュエータＡＣＴにより少なくとも２次元的に可動に支持されている。アクチュエータＡＣＴは、光ピックアップ装置のフレーム（不図示）に対して位置調整可能にアクチュエータべースＡＣＴＢを介して取り付けられている。アクチュエータべースＡＣＴＢは、不図示のアクチュエータにより図で左右方向に移動可能に保持されている。
【００４３】
第１の光ディスクＯＤ１に対して情報の記録及び／又は再生を行う場合について説明する。図１において、第１の光源としての第１半導体レーザＬＤ１（波長λ１＝３８０ｎｍ〜４５０ｎｍ）から出射された光束は、ビームシェイパＢＳを通過することで光束の形状を補正された上で、第１コリメートレンズＣＬ１に入射して平行光束となる。第１コリメートレンズＣＬ１から出射した光束は、光源から出射した光束を記録再生用のメインビームとトラッキングエラー信号検出用のサブビームに分離するための光学手段である回折格子Ｇを通過し、更に偏光ビームスプリッタＰＢＳ、エキスパンダーレンズＥＸＰ及びダイクロイックプリズムＤＰを通過する。
【００４４】
ダイクロイックプリズムＤＰを通過した光束は、λ／４波長板ＱＷＰを通過して、第１の対物レンズＯＢＪ１により集光されて、第１の光ディスクＯＤ１の保護層（厚さｔ１＝０．１〜０．７ｍｍ）を介してその情報記録面に集光されここに集光スポットを形成する。
【００４５】
そして情報記録面で情報ピットにより変調されて反射した光束は、再び第１の対物レンズＯＢＪ１、λ／４波長板ＱＷＰ１、ダイクロイックプリズムＤＰ、エキスパンダーレンズＥＸＰを通過して、偏光ビームスプリッタＰＢＳで反射され、更にセンサレンズＳＬを通過し、光軸補正素子ＳＥを通過して光検出器ＰＤの受光面に入射するので、その出力信号を用いて、第１の光ディスクＯＤ１に情報記録された情報の読み取り信号が得られる。尚、光軸補正素子ＳＥは、第１半導体レーザＬＤ１と、第２半導体レーザＬＤ２の少なくとも一方に対してシフト処理を行った場合に発生する光軸ずれを補正することにより、いずれから照射された光束も、光検出器ＰＤの受光面の最適位置に集光させるように機能するものである。
【００４６】
また、光検出器ＰＤ上でのスポットの形状変化、位置変化による光量変化を検出して、合焦検出やトラック検出を行う。この検出に基づいて、第１半導体レーザＬＤ１からの光束を第１の光ディスクＯＤ１の情報記録面に結像するように、第１の対物レンズＯＢＪ１をレンズホルダＨＤごと移動させるように、アクチュエータＡＣＴを駆動する。
【００４７】
第２の光ディスクＯＤ２に対して情報の記録及び／又は再生を行う場合について説明する。第２半導体レーザＬＤ２（波長λ２＝６００ｎｍ〜７００ｎｍ）から出射された光束は、ビームシェイパＢＳを通過することで光束の形状を補正された上で、第１コリメートレンズＣＬ１に入射して平行光束となる。第１コリメートレンズＣＬ１から出射した光束は回折格子Ｇを通過し、更に偏光ビームスプリッタＰＢＳ及びエキスパンダーレンズＥＸＰ及びダイクロイックプリズムＤＰを通過する。
【００４８】
ダイクロイックプリズムＤＰを通過した光束は、λ／４波長板ＱＷＰを通過して、第１の対物レンズＯＢＪ１により集光されて、第２の光ディスクＯＤ２の保護層（厚さｔ２＝０．５〜０．７ｍｍ）を介してその情報記録面に集光されここに集光スポットを形成する。
【００４９】
そして情報記録面で情報ピットにより変調されて反射した光束は、再び第１の対物レンズＯＢＪ１、λ／４波長板ＱＷＰ、ダイクロイックプリズムＤＰ、エキスパンダーレンズＥＸＰを通過し、偏光ビームスプリッタＰＢＳで反射され、更にセンサレンズＳＬを通過し、光軸補正素子ＳＥを通過して光検出器ＰＤの受光面に入射するので、その出力信号を用いて、第２の光ディスクＯＤ２に情報記録された情報の読み取り信号が得られる。
【００５０】
また、光検出器ＰＤ上でのスポットの形状変化、位置変化による光量変化を検出して、合焦検出やトラック検出を行う。この検出に基づいて、第２半導体レーザＬＤ２からの光束を第２の光ディスクＯＤ２の情報記録面に結像するように、第１の対物レンズＯＢＪ１をレンズホルダＨＤごと移動させるように、アクチュエータＡＣＴを駆動する。
【００５１】
第３半導体レーザＬＤ３はホログラムレーザであり、光源であるレーザチップＬＣと光検出器ＰＤ３がパッケージ化されている。第３の光ディスクＯＤ３に対して情報の記録及び／又は再生を行う場合について説明する。かかる場合、不図示のアクチュエータによりアクチュエーベースＡＣＴＢが移動され、第２の対物レンズＯＢＪ２の光軸が、λ／４波長板ＱＷＰの光軸と位置するようになる。
【００５２】
第３半導体レーザＬＤ３（波長λ３＝７００ｎｍ〜８００ｎｍ）のレーザチップＬＣから出射された光束は、第２コリメートレンズＣＬ２を通過して発散角を変更された後、ダイクロイックプリズムＤＰで反射された後、λ／４波長板ＱＷＰを通過し、第２の対物レンズＯＢＪ２により集光されて、第３の光ディスクＯＤ３の保護層（厚さｔ３＝１．１〜１．３ｍｍ）を介してその情報記録面に集光されここに集光スポットを形成する。
【００５３】
そして情報記録面で情報ピットにより変調されて反射した光束は、再び第２の対物レンズＯＢＪ２、λ／４波長板ＱＷＰを通過し、ダイクロイックプリズムＤＰで反射され、更に第２コリメートレンズＣＬ２により集光されて第３半導体レーザＬＤ３内の光検出器ＰＤ３の受光面に入射するので、その出力信号を用いて、第３の光ディスクＯＤ３に情報記録された情報の読み取り信号が得られる。
【００５４】
また、第３光検出器ＰＤ３上でのスポットの形状変化、位置変化による光量変化を検出して、合焦検出やトラック検出を行う。この検出に基づいて、第３半導体レーザＬＤ３からの光束を第３の光ディスクＯＤ３の情報記録面上に結像するように、第２の対物レンズＯＢＪ２をレンズホルダＨＤごと移動させるように、アクチュエータＡＣＴを駆動する。
【００５５】
図２は、高密度ＤＶＤ（第１の光ディスクともいう）、従来のＤＶＤ（第２の光ディスクともいう）及びＣＤ（第３の光ディスクともいう）の全てに対して情報の記録／再生を行える、第２の実施の形態にかかる光ピックアップ装置の概略断面図である。
【００５６】
図２に示すように、支持部材であるレンズホルダＨＤは、アクチュエータＡＣＴにより少なくとも２次元的に可動に支持されている。アクチュエータＡＣＴは、光ピックアップ装置のフレーム（不図示）に対して、アクチュエータべースＡＣＴＢを介して取り付けられている。
【００５７】
第１の光ディスクＯＤ１に対して情報の記録及び／又は再生を行う場合について説明する。図２において、第１の光源としての第１半導体レーザＬＤ１（波長λ１＝３８０ｎｍ〜４５０ｎｍ）から出射された光束は、ビームシェイパＢＳを通過することで光束の形状を補正された上で、第１コリメートレンズＣＬ１に入射して平行光束となる。第１コリメートレンズＣＬ１から出射した光束は、光源から出射した光束を記録再生用のメインビームとトラッキングエラー信号検出用のサブビームに分離するための光学手段である回折格子Ｇを通過し、更に偏光ビームスプリッタＰＢＳ、エキスパンダーレンズＥＸＰ及び第１のダイクロイックプリズムＤＰ１、λ／４波長板ＱＷＰを通過し、第２のダイクロイックプリズムＤＰ２で反射される。
【００５８】
第２のダイクロイックプリズムＤＰ２で反射された光束は、第１の対物レンズＯＢＪ１により集光されて、第１の光ディスクＯＤ１の保護層（厚さｔ１＝０．１〜０．７ｍｍ）を介してその情報記録面に集光されここに集光スポットを形成する。
【００５９】
そして情報記録面で情報ピットにより変調されて反射した光束は、再び第１の対物レンズＯＢＪ１を通過し、第２のダイクロイックプリズムＤＰ２で反射され、λ／４波長板ＱＷＰ１、第１のダイクロイックプリズムＤＰ１、エキスパンダーレンズＥＸＰを通過して、偏光ビームスプリッタＰＢＳで反射され、更にセンサレンズＳＬを通過し、光軸補正素子ＳＥを通過して光検出器ＰＤの受光面に入射するので、その出力信号を用いて、第１の光ディスクＯＤ１に情報記録された情報の読み取り信号が得られる。
【００６０】
また、光検出器ＰＤ上でのスポットの形状変化、位置変化による光量変化を検出して、合焦検出やトラック検出を行う。この検出に基づいて、第１半導体レーザＬＤ１からの光束を第１の光ディスクＯＤ１の情報記録面に結像するように、第１の対物レンズＯＢＪ１をレンズホルダＨＤごと移動させるように、アクチュエータＡＣＴを駆動する。
【００６１】
第２の光ディスクＯＤ２に対して情報の記録及び／又は再生を行う場合について説明する。第２半導体レーザＬＤ２（波長λ２＝６００ｎｍ〜７００ｎｍ）から出射された光束は、ビームシェイパＢＳを通過することで光束の形状を補正された上で、第１コリメートレンズＣＬ１に入射して平行光束となる。第１コリメートレンズＣＬ１から出射した光束は回折格子Ｇを通過し、更に偏光ビームスプリッタＰＢＳ及びエキスパンダーレンズＥＸＰ及び第１のダイクロイックプリズムＤＰ１、λ／４波長板ＱＷＰを通過し、第２のダイクロイックプリズムＤＰ２で反射される。
【００６２】
第２のダイクロイックプリズムＤＰ２で反射された光束は、第１の対物レンズＯＢＪ１により集光されて、第２の光ディスクＯＤ２の保護層（厚さｔ２＝０．５〜０．７ｍｍ）を介してその情報記録面に集光されここに集光スポットを形成する。
【００６３】
そして情報記録面で情報ピットにより変調されて反射した光束は、再び第１の対物レンズＯＢＪ１を通過し、第２のダイクロイックプリズムＤＰ２で反射され、λ／４波長板ＱＷＰ、第１のダイクロイックプリズムＤＰ１、エキスパンダーレンズＥＸＰを通過し、偏光ビームスプリッタＰＢＳで反射され、更にセンサレンズＳＬを通過し、光軸補正素子ＳＥを通過して光検出器ＰＤの受光面に入射するので、その出力信号を用いて、第２の光ディスクＯＤ２に情報記録された情報の読み取り信号が得られる。
【００６４】
また、光検出器ＰＤ上でのスポットの形状変化、位置変化による光量変化を検出して、合焦検出やトラック検出を行う。この検出に基づいて、第２半導体レーザＬＤ２からの光束を第２の光ディスクＯＤ２の情報記録面に結像するように、第１の対物レンズＯＢＪ１をレンズホルダＨＤごと移動させるように、アクチュエータＡＣＴを駆動する。
【００６５】
第３半導体レーザＬＤ３はホログラムレーザであり、光源であるレーザチップＬＣと光検出器ＰＤ３がパッケージ化されている。第３の光ディスクＯＤ３に対して情報の記録及び／又は再生を行う場合について説明する。
【００６６】
第３半導体レーザＬＤ３（波長λ３＝７００ｎｍ〜８００ｎｍ）のレーザチップＬＣから出射された光束は、第２コリメートレンズＣＬ２を通過して発散角を変更された後、第１のダイクロイックプリズムＤＰ１で反射された後、λ／４波長板ＱＷＰ及び第２のダイクロイックプリズムＤＰ２を通過し、ミラーＭで反射され、第２の対物レンズＯＢＪ２により集光されて、第３の光ディスクＯＤ３の保護層（厚さｔ３＝１．１〜１．３ｍｍ）を介してその情報記録面に集光されここに集光スポットを形成する。
【００６７】
そして情報記録面で情報ピットにより変調されて反射した光束は、再び第２の対物レンズＯＢＪ２を通過し、ミラーＭで反射され、第２のダイクロイックプリズムＤＰ２、λ／４波長板ＱＷＰを通過し、第１のダイクロイックプリズムＤＰ１で反射され、更に第２コリメートレンズＣＬ２により集光されて第３半導体レーザＬＤ３内の光検出器ＰＤ３の受光面に入射するので、その出力信号を用いて、第３の光ディスクＯＤ３に情報記録された情報の読み取り信号が得られる。
【００６８】
また、第３光検出器ＰＤ３上でのスポットの形状変化、位置変化による光量変化を検出して、合焦検出やトラック検出を行う。この検出に基づいて、第３半導体レーザＬＤ３からの光束を第３の光ディスクＯＤ３の情報記録面上に結像するように、第２の対物レンズＯＢＪ２をレンズホルダＨＤごと移動させるように、アクチュエータＡＣＴを駆動する。
【００６９】
図３は、上述した実施の形態に用いることができる対物レンズユニットＯＵの分解斜視図である。対物レンズユニットＯＵは、対物レンズＯＢＪ１及び対物レンズＯＢＪ２と、この対物レンズＯＢＪ１，ＯＢＪ２を保持するレンズホルダ（支持部材ともいう）ＨＤと、このレンズホルダＨＤの外周に形成され、フォーカシングアクチュエータの構成要素であるフォーカシングコイルＦＣと、レンズホルダＨＤの長手方向の両端に配置され、トラッキングアクチュエータの構成要素であるトラッキングコイルＴＣとを備える。なお、レンズホルダＨＤは、不図示のワイヤによってヘッド本体側に対し微小変位可能に支持されており、マグネット若しくはヨーク（不図示）に対向してトラッキングコイルＴＣが適所に配置されるようになっている。また、対物レンズユニットＯＵは、上記マグネット等によって形成された磁界中に配置された各コイルＦＣ、ＴＣに通電することによって、レンズホルダＨＤを対物レンズＯＢＪ１，ＯＢＪ２とともに光軸に平行なＺ方向やこれに垂直なＸ方向に対して所望量だけ移動させるコイル駆動回路（不図示）を備える。
【００７０】
対物レンズＯＢＪ１，ＯＢＪ２は、プラスチック製の両凸レンズであり、円形の対物レンズ本体ｂ１、ｂ２の外周に環状のフランジ部ｆ１、ｆ２を有する。なお、対物レンズ本ｂ１、ｂ２に設けた一対の光学面は、例えば非球面等からなるものとすることができるが、単なる曲面に限定されるものではない。例えば、ＣＤ、ＤＶＤ、高密度光ディスク等の複数規格に対して情報の再生・記録が可能な互換型の光ヘッドの場合には、対物レンズ本体ｂ１、ｂ２の光学面を回折構造或いは光路差付与構造を有するものとすることができる。さらに、これらの光学面は、特殊な輪帯構造に分割することもできる。
【００７１】
レンズホルダＨＤは、それぞれ円形の開口部（第１の開口ともいう）ａ１と開口部（第２の開口ともいう）ａ２を、長手方向に並べて形成している。開口部ａ１、ａ２の内径は、対物レンズのフランジ部ｆ１、ｆ２の外径より大きいと好ましい。又、開口部ａ１、ａ２の内周には、半径方向内方に環状に張り出した保持部ｈ１，ｈ２が形成されている。保持部ｈ１，ｈ２の上面にフランジ部ｆ１，ｆ２を当接した状態で、対物レンズＯＢＪ１，ＯＢＪ２は、接着剤などを用いてレンズホルダＨＤに取り付けられている。
【００７２】
樹脂製のレンズホルダＨＤは、トラッキングコイルＴＣと、開口部ａ１、ａ２との間に、上下に貫通した矩形状の開口ｒ１，ｒ２を形成している。開口ｒ１，ｒ２内には、レンズホルダＨＤの素材よりも熱伝導率が低い素材（例えばセラミック）からなる遮熱部材ｐ１，ｐ２が嵌合されている。ここで、遮熱部材ｐ１．ｐ２が第１の部位を構成し、それ以外のレンズホルダＨＤが、第１の部位より熱伝導率の高い第２の部位を構成する。
【００７３】
本実施の形態によれば、熱源となるトラッキングコイルＴＣから発生した熱は、レンズホルダＨＤに伝達されるが、レンズホルダＨＤより熱伝導率が低い遮熱部材ｐ１，ｐ２により熱伝導が抑制されるので、トラッキングコイルＴＣに近い側の対物レンズＯＢＪ１，ＯＢＪ２における光学面は加熱が抑制されるのに対し、トラッキングコイルＴＣに遠い側の対物レンズＯＢＪ１，ＯＢＪ２における光学面は、熱伝導率が高いレンズホルダＨＤを介して加熱が促進され、全体として光学面の温度分布の均一化を図ることができる。
【００７４】
図４は、別な例にかかる対物レンズユニットＯＵの斜視図であり、対物レンズＯＢＪ１，ＯＢＪ２はレンズホルダＨＤに組み込まれている。本例では、上下に貫通した矩形状の開口ｒ１，ｒ２に、何らの部材も配置されておらず、空隙となっている。本例によれば、熱源となるトラッキングコイルＴＣから発生した熱は、レンズホルダＨＤに伝達されるが、熱伝導率が低い開口ｒ１，ｒ２内の空気により熱伝導が抑制されるので、対物レンズＯＢＪ１，ＯＢＪ２の光学面の温度分布の均一化を図ることができる。
【００７５】
図５は、更に別な例にかかる対物レンズユニットＯＵの斜視図である。本例では、開口ｒ１、ｒ２をそれぞれ二分割し、開口部ａ１，ａ２側の側面をそれらに倣った形状としているので、第１の部位を構成する空隙の容積を大きく確保することができる。なお、開口ｒ１、ｒ２に、レンズホルダＨＤよりも熱伝導率の低い部材を充填しても良い。
【００７６】
図６は、更に別な例にかかる対物レンズユニットＯＵの斜視図である。本例のレンズホルダＨＤは、開口ｒ１、ｒ２に加えて、フォーカシングコイルＦＣと、開口部ａ１，ａ２との間に開口ｒ３，ｒ４を形成している。本例は、フォーカシングコイルＦＣが、比較的発生する熱量の大きい熱源となる場合に有効であり、そこから発生した熱の伝導が、熱伝導率の低い開口ｒ３，ｒ４内の空気により抑制されるため、対物レンズＯＢＪ１，ＯＢＪ２の光学面の温度分布の均一化を図ることができる。また、開口ｒ１〜ｒ４を設けることで、レンズホルダＨＤの表面積が増加するので、放熱効果も高まる。更に、レンズホルダＨＤに近接して光ディスクが回転している際に生じる風流を用いることで、開口ｒ１〜ｒ４で加熱された空気を追い出すことができ、遮熱効果をより高めることができる。
【００７７】
図７は、更に別な例にかかる対物レンズユニットＯＵの斜視図である。本例のレンズホルダＨＤは、開口部ａ１、ａ２間に開口ｒ５を形成している。開口ｒ５は、両側面が、開口部ａ、ａ２の内周面に倣った円弧形状であり、長手方向に向かうにつれて広がる形状を有している。開口ｒ５内には、レンズホルダＨＤの素材よりも熱伝導率が高い素材（例えばアルミ）からなる伝熱部材ｔ１が嵌合されている。即ち、伝熱部材ｔ１が、熱源となるトラッキングコイルＴＣやフォーシングコイルＦＣから発生した熱を、それらから離れた対物レンズＯＢＪ１，ＯＢＪ２の裏側まで伝達し、それにより全体として光学面の温度分布の均一化を図ることができる。ここで、伝熱部材ｔ１が熱伝導率の高い第３の部位を構成し、それ以外のレンズホルダＨＤが、第３の部位より熱伝導率の低い第２の部位を構成する。
【００７８】
図８は、上述した実施の形態に用いることができる対物レンズユニットＯＵの分解斜視図である。本例において、レンズホルダＨＤの開口部ａ１、ａ２の内周に形成された保持部ｈ１，ｈ２は、完全な環状ではなく、トラッキングコイルＴＣ側に切欠ｃ１，ｃ２を有している。
【００７９】
ここで、対物レンズＯＢＪ１，ＯＢＪ２のフランジ部ｆ１，ｆ２を、保持部ｈ１，ｈ２上に載置すると、切欠ｃ１，ｃ２の部位はフランジ部ｆ１，ｆ２に当接しない。これを言い換えると、対物レンズＯＢＪ１，ＯＢＪ２を、それに最も近いアクチュエータを構成するトラッキングコイルＴＣから、それぞれ光軸に下ろした垂線に対して直角な方向に延在し且つ光軸を含む仮想平面で切断することにより、トラッキングコイルＴＣに近い側と遠い側とに分けたとき、トラッキングコイルＴＣに近い側におけるレンズホルダＨＤに接する対物レンズの表面の面積は、トラッキングコイルＴＣに遠い側におけるレンズホルダＨＤに接する対物レンズの表面の面積よりも小さくなっている。従って、トラッキングコイルＴＣに近い側の対物レンズＯＢＪ１，ＯＢＪ２における光学面は加熱が抑制されることとなる。
【００８０】
図９は、上述した実施の形態に用いることができる対物レンズユニットＯＵの分解斜視図である。本例は、図８に示すレンズホルダＨＤの開口部ａ１、ａ２の内周に形成された保持部ｈ１，ｈ２に対して、切欠ｃ１，ｃ２の数を更に増加させた例であり、対物レンズＯＢＪ１，ＯＢＪ２における光学面は更に加熱が抑制されることとなる。
【００８１】
図１０は、上述した実施の形態に用いることができる対物レンズユニットＯＵの分解斜視図である。本例においては、トラッキングコイルＴＣ側に近いレンズホルダＨＤの開口部ａ１、ａ２の内周の一部を、その内周に形成された保持部ｈ１，ｈ２ごと切り欠き削除することによって、拡大開口部ｅ１、ｅ２を形成している。これを言い換えると、拡大開口部ｅ１、ｅ２を、それに装着される対物レンズに最も近いアクチュエータを構成するトラッキングコイルＴＣから光軸に下ろした垂線に対して直角な方向に延在し且つ光軸を含む仮想平面で切断することにより、トラッキングコイルＴＣに近い側と遠い側とに分けたとき、トラッキングコイルＴＣに近い側において装着された対物レンズとの間に形成される空隙は、トラッキングコイルＴＣに遠い側において装着された対物レンズとの間に形成される空隙よりも大きくなっている。従って、トラッキングコイルＴＣに近い側の対物レンズＯＢＪ１，ＯＢＪ２における光学面の加熱が抑制されることとなる。
【００８２】
図１１は、レンズホルダＨＤを、対物レンズＯＢＪ１の光軸と対物レンズＯＢＪ２の光軸の双方が含まれる仮想平面で切断して示す図である。本例においては、開口ａ１，ａ２の内周下方部に、縮径した段部ｓ１，ｓ２が形成されている。段部ｓ１，ｓ２の上面には、輪帯溝（凹部ともいう）ｇ１，ｇ２がそれぞれ形成されている。段部ｓ１，ｓ２の上面に、対物レンズＯＢＪ１，ＯＢＪ２のフランジ部ｆ１，ｆ２を、その側面が開口ａ１、ａ２に接触しないようにして配置し、更に不図示の接着剤を用いてレンズホルダＨＤに対物レンズＯＢＪ１，ＯＢＪ２を接着することができる。ここで、対物レンズＯＢＪ１，ＯＢＪ２のフランジ部ｆ１，ｆ２と段部ｓ１，ｓ２との間に、輪帯溝ｇ１，ｇ２が形成されているので、その内部に密封された空気により、トラッキングコイルＴＣからの熱を遮熱できるため、対物レンズＯＢＪ１，ＯＢＪ２における光学面の加熱が抑制されることとなる。なお、段部ｓ１，ｓ２の上面に輪帯状の凸部を形成しても同様な効果が得られる。段部ｓ１，ｓ２は、少なくともアクチュエータ側に設けられていれば足りる。
【００８３】
図１２は、上述した実施の形態に用いることができる対物レンズユニットＯＵの分解斜視図である。本例においては、レンズホルダＨＤの上面と下面において、周縁に沿って延在する薄壁状のフィンｆｎを形成している。レンズホルダＨＤの周囲に配置されたトラッキングコイルＴＣ及びフォーカシングコイルＦＣからの熱の一部は、フィンｆｎを介して放熱されるので、対物レンズＯＢＪ１，ＯＢＪ２における光学面の加熱が抑制されることとなる。特に、レンズホルダＨＤに近接して光ディスクが回転している際に生じる風流を用いることで、フィンｆｎの放熱効果を高めることができる。なお、図３〜１２に示す例は、お互いに干渉しない限り組み合わせて用いることができることはいうまでもない。
【００８４】
更に図１３は、別なレンズユニットＯＵ’の斜視図である。図１３に示されるレンズユニットＯＵ’は、図１、２の光ピックアップ装置に配置することができ、半導体レーザからのレーザ光を、異なる光ディスクの情報記録面上にそれぞれ集光する対物レンズＯＢＪ１（第１の対物光学素子）、ＯＢＪ２（第２の対物光学素子）と、これらの対物レンズＯＢＪ１，ＯＢＪ２の光軸を，同一円周ＰＣ上に保持するレンズホルダ（支持部材）ＨＤと、このレンズホルダＨＤを円周ＰＣの中心軸の位置に設けられた支軸ＳＨを介して回転自在に且つこの回転の中心軸に沿って往復移動自在に保持するアクチュエータベースＡＣＴＢと、レンズホルダＨＤを支軸ＳＨに沿った方向に往復移動させるフォーカシングアクチュエータ（図示略）と、レンズホルダＨＤに回転動作を付勢して各対物レンズＯＢＪ１，ＯＢＪ２の位置決めを行うトラッキングアクチュエータＴＡとを備えている。このレンズユニットＯＵ’には、各アクチュエータの動作制御を行う動作制御回路（図示略）が設けられている。
【００８５】
対物レンズＯＢＪ１，ＯＢＪ２は、それぞれ円板状のレンズホルダＨＤの平板面を貫通した孔部に装備されており、レンズホルダＨＤの中心からそれぞれ等しい距離で配設されている。このレンズホルダＨＤは、その中心部でアクチュエータベースＡＣＴＢから立設された支軸ＳＨの上端部と回転自在に係合しており、この支軸ＳＨの下方には、図示を省略したフォーカシングアクチュエータが配設されている。
【００８６】
即ち、このフォーカシングアクチュエータは、支軸ＳＨの下端部に設けられた永久磁石とこの周囲に設けられたコイルとにより電磁ソレノイドを構成し、コイルに流す電流を調節することにより、支軸ＳＨ及びレンズホルダＨＤに対して当該支軸ＳＨに沿った方向（図１３における上下方向）への微小単位での往復移動を付勢し，焦点距離の調整を行うようになっている。
【００８７】
また、前述したようにこのレンズホルダＨＤは、トラッキングアクチュエータＴＡによって、光軸と平行な軸線を有する支軸ＳＨを中心とした回動動作が付与される。このトラッキングアクチュエータＴＡは、レンズホルダＨＤの端縁部に支軸ＳＨを挟んで対称に設けられた一対のトラッキングコイルＴＣＡ，ＴＣＢと、レンズホルダＨＤの端縁部に近接してアクチュエータベースＡＣＴＢ上の支軸ＳＨを挟んで対称となる位置にそれぞれ設けられた二組の対を成すマグネットＭＧＡ，ＭＧＢ，ＭＧＣ，ＭＧＤとを備えている。
【００８８】
そして、トラッキングコイルＴＣＡ，ＴＣＢが、一方の対を成すマグネットＭＧＡ，ＭＧＢと個々に対向するときには、対物レンズＯＢＪ１がレーザ光の光路上となるように、マグネットＭＧＡ，ＭＧＢの位置が設定されており、また、マグネットＭＧＣ，ＭＧＤと個々に対向するときには、対物レンズＯＢＪ２がレーザ光の光路上となるように、マグネットＭＧＣ，ＭＧＤの位置が設定されている。
【００８９】
また、上述のレンズホルダＨＤには、トラッキングコイルＴＣＡとマグネットＭＧＢ又はマグネットＭＧＤ，及びトラッキングコイルＴＣＢとマグネットＴＧＡ又はマグネットＴＧＣとが対向することがないように、その回動範囲を制限する図示しないストッパが設けられている。
【００９０】
さらに、トラッキングアクチュエータＴＡは、円形のレンズホルダＨＤの外周の接線方向が光ディスクのトラックの接線方向と直交するように配設され、このレンズホルダＨＤに微小単位で回動動作を付勢することによりレーザ光のトラックに対する照射位置のズレの補正を行うためのものである。そのため、このトラッキング動作を行うために、例えば、各トラッキングコイルＴＣＡ、ＴＣＢが各マグネットＭＧＡ，ＭＧＢと対向した状態を保持しながら微妙にレンズホルダＨＤに回動を付勢する必要が生じる。
【００９１】
かかるトラッキング動作を行うために、各トラッキングコイルＴＣＡ，ＴＣＢには、その内側に鉄片が装備されており、この鉄片が各マグネットに引き寄せられながら、これら各マグネットとの間に微妙な斥力を生じるように各トラッキングコイルＴＣＡ，ＴＣＢに電流を流す制御が動作制御回路によって行われる構成となっている。
【００９２】
本例においては、レンズホルダＨＤに、複数の円形開口ＣＡを形成しており、それによりトラッキングコイルＴＣＡ，ＴＣＢからの熱が、対物レンズＯＢＪ１，ＯＢＪ２に伝わることを抑制している。なお、第１の部位を含む円形開口ＣＡ内に、レンズホルダＨＤより熱伝導率が低い素材を充填するほか、図７〜１１に示す構造を付加することもできる。
【００９３】
以上述べた実施の形態において、対物レンズＯＢＪ１，ＯＢＪ２の少なくとも一方を、ｄｎ／ｄＴが８×１０-5未満である、粒径が３０ｎｍ以下の無機微粒子を分散させたプラスチック樹脂から形成しても良い。或いは、対物レンズＯＢＪ１，ＯＢＪ２の少なくとも一方を、ｄｎ／ｄＴが５×１０-5未満であるガラスから形成しても良い。かかる場合、通常のプラスチックレンズに比べ、ｄｎ／ｄＴが小さくなるので、光学面の温度分布に偏りが生じた場合でも、その局所的な屈折率変化を抑えることで、いずれの光ディスクに対しても適切に情報の記録及び／又は再生を行うことができる。レンズホルダＨＤは、３つ以上の対物レンズを保持するようにしても良い。
【００９４】
以上、本発明を実施の形態を参照して説明してきたが、本発明は上記実施の形態に限定して解釈されるべきではなく、適宜変更・改良が可能であることはもちろんである。例えば、レンズホルダの素材は樹脂に限らず、アルミニウム合金やマグネシウム合金等の金属を用いることもできる。いずれかの対物レンズが複数の光学素子からなる場合、熱源に近い一つの光学素子における光学面の温度と、残りの光学素子の光学面の温度とが顕著に異なる場合にも、本発明は適用可能である。
【図面の簡単な説明】
【００９５】
【図１】第１の実施の形態にかかる光ピックアップ装置の概略断面図である。
【図２】第２の実施の形態にかかる光ピックアップ装置の概略断面図である。
【図３】上述した実施の形態に用いることができる対物レンズユニットＯＵの分解斜視図である。
【図４】別な例にかかる対物レンズユニットＯＵの斜視図である。
【図５】更に別な例にかかる対物レンズユニットＯＵの斜視図である。
【図６】更に別な例にかかる対物レンズユニットＯＵの斜視図である。
【図７】更に別な例にかかる対物レンズユニットＯＵの斜視図である。
【図８】上述した実施の形態に用いることができる別な対物レンズユニットＯＵの分解斜視図である。
【図９】上述した実施の形態に用いることができる別な対物レンズユニットＯＵの分解斜視図である。
【図１０】上述した実施の形態に用いることができる別な対物レンズユニットＯＵの分解斜視図である。
【図１１】レンズホルダＨＤを、対物レンズＯＢＪ１の光軸と対物レンズＯＢＪ２の光軸の双方が含まれる仮想平面で切断して示す図である。
【図１２】上述した実施の形態に用いることができる別な対物レンズユニットＯＵの分解斜視図である。
【図１３】別なレンズユニットＯＵ’の斜視図である。
【符号の説明】
【００９６】
ＡＣＴ アクチュエータ
ＡＣＴＢ アクチュエータベース
ＢＳ ビームシェイパ
ＣＡ 円形開口
ＣＬ１ 第１のコリメートレンズ
ＣＬ２ 第２のコリメートレンズ
ＤＰ ダイクロイックプリズム
ＤＰ１ 第１のダイクロイックプリズム
ＤＰ２ 第２のダイクロイックプリズム
ＥＸＰ エキスパンダーレンズ
ＦＣ フォーカシングコイル
Ｇ 回折格子
ＨＤ レンズホルダ
ＬＣ レーザチップ
ＬＤ１ 半導体レーザ
ＬＤ２ 半導体レーザ
ＬＤ３ 半導体レーザ
Ｍ ミラー
ＭＧＡ，ＭＧＢ，ＭＧＣ，ＭＧＤ マグネット
ＯＢＪ１，ＯＢＪ２ 対物レンズ
ＯＤ１ 光ディスク
ＯＤ２ 光ディスク
ＯＤ３ 光ディスク
ＯＵ，ＯＵ’ 対物レンズユニット
ＰＢＳ 偏光ビームスプリッタ
ＰＣ 円周
ＰＤ 光検出器
ＱＷＰ λ／４波長板
Ｓ１，Ｓ２ 段部
ＳＥ 光軸補正素子
ＳＨ 支軸
ＳＬ センサレンズ
ＴＡ トラッキングアクチュエータ
ＴＣ トラッキングコイル
ＴＣＡ，ＴＣＢ トラッキングコイル
ａ 開口
ａ 開口部
ａ１，ａ２ 開口
ｂ１ 対物レンズ本体
ｃ１，ｃ２ 切欠
ｅ１ 拡大開口部
ｆ１，ｆ２ フランジ部
ｆｎ フィン
ｇ１，ｇ２ 輪帯溝
ｈ１，ｈ２ 保持部
ｐ１，ｐ２ 遮熱部材
ｒ１〜ｒ４ 開口
ｒ５ 開口
ｓ１，ｓ２ 段部
ｔ１ 伝熱部材
【図１】
2007087500.tif 000003
【図２】
2007087500.tif 000004
【図３】
2007087500.tif 000005
【図４】
2007087500.tif 000006
【図５】
2007087500.tif 000007
【図６】
2007087500.tif 000008
【図７】
2007087500.tif 000009
【図８】
2007087500.tif 000010
【図９】
2007087500.tif 000011
【図１０】
2007087500.tif 000012
【図１１】
2007087500.tif 000013
【図１２】
2007087500.tif 000014
【図１３】
2007087500.tif 000015